(57)【要約】【課題】試験時間の短縮を図るとともに、内装仕上げ材の汚染や損傷を防止する。【解決手段】本体フレーム１０内に、変圧トランス１３と給水タンク１６内の水を空調機２のドレンパン３へ圧送する給水ポンプ１７とを備えると共に、給水ポンプ１７の吐出側を複数に分岐した各分岐路の先端に設けられ、ドレンパン３へ給水を行うための給水ホース３０が接続される接続プラグ１８と、各分岐路の流量を計測する流量計１９とを備えたドレン機能の試験装置１と、排水管４にて排水を回収する排水回収容器６とを設置する。各接続プラグ１８とドレンパン３の間に給水ホース３０を仮設配管し、各電源コンセント１４、３１をそれぞれ仮設電源及び各空調機２に接続して試験装置１を設置した上で、空調機２の運転及びドレンパン３への給水を行い、流量計１９による給水量と排水回収容器６に回収された排水量との比較によりドレン機能を判定する。【選択図】図１
2011021777.tif 000002
【特許請求の範囲】
【請求項１】
車輪が設けられ移動可能とされる本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水を行うための給水ホースが接続される接続プラグを備えたドレン機能試験装置を使用して、内装及び空調機への給電工事前に、ドレンアップ機能を備えた空調機のドレン機能を確認する空調機のドレン機能試験方法であって、
前記空調機を設置し、ドレンパンに溜まった水を排水管に送るドレン管を配管した後、各接続プラグに給水ホースの一端を接続するとともに他端を空調機のドレンパンに仮設配管し、前記１次側の電源コンセントを仮設電源に接続するとともに前記２次側の電源コンセントを各空調機に接続して前記試験装置を設置した上で、前記空調機の運転及び前記ドレンパンへの給水を行い、ドレン機能を判定することを特徴とする空調機のドレン機能試験方法。
【請求項２】
車輪が設けられ移動可能とされる本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水を行うための給水ホースが接続される接続プラグと、各分岐路の流量を計測する流量計とを備えたドレン機能試験装置と、前記ドレンパンの水をドレン管を通じて排水管にて回収する排水回収容器とを使用して、内装及び空調機への給電工事前に、ドレンアップ機能を備えた空調機のドレン機能を確認する空調機のドレン機能試験方法であって、
前記空調機を設置し、ドレンパンに溜まった水を排水管に送るドレン管を配管した後、各接続プラグに給水ホースの一端を接続するとともに他端を空調機のドレンパンに仮設配管し、前記１次側の電源コンセントを仮設電源に接続するとともに前記２次側の電源コンセントを各空調機に接続して前記試験装置を設置した上で、前記空調機の運転及び前記ドレンパンへの給水を行い、前記流量計による給水量と前記排水回収容器に回収された排水量との比較によりドレン機能を判定することを特徴とする空調機のドレン機能試験方法。
【請求項３】
前記分岐路は、３乃至８本に分岐して形成されている請求項１、２いずれかに記載の空調機のドレン機能試験方法。
【請求項４】
請求項１〜３いずれかに記載の空調機のドレン機能試験方法に用いるドレン機能の試験装置であって、
車輪が設けられた本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水を行うための給水ホースが接続される接続プラグと、必要に応じて各分岐路の流量を計測する流量計とを備えたことを特徴とするドレン機能試験装置。
【発明の詳細な説明】
【技術分野】
【０００１】
本発明は、ドレンアップ機能を備えた高所設置型のパッケージ形空調機を新規に据え付けたとき、ドレン管の通水試験とドレンアップ機能の確認試験とを１回の試験で同時に行えるようにした空調機のドレン機能試験方法及びこれに用いるドレン機能試験装置に関する。
【背景技術】
【０００２】
従来より、天井埋込型などの高所設置型のパッケージ形空調機には、冷却コイルに生じる結露水を一時貯留しておくドレンパンと、このドレンパンに溜まったドレンを排水管に排水するため、排水管に向けて下降勾配を設けたドレン管とが備えられている。また、前記ドレン管に下降勾配を設けることによって天井高さが低くなるのを回避するため、ドレンアップポンプによってドレンパンの水位より高い位置に設置されたドレン管に揚水するドレンアップ機能を備えたものが知られている。
【０００３】
かかる空調機を新規に据え付ける場合、ドレン管の漏水の有無や下降勾配による排水管までの通水が可能か否かを確認するドレン管の通水試験と、前記ドレンアップポンプの漏水の有無やドレンアップポンプによる揚水が可能か否かを確認するドレンアップ機能の確認試験とを行う必要があった。従来の確認試験では、図９に示されるように、空調機を設置しドレン管を配管した後、天井などの内装を汚さないように、内装工事が行われる前に前記ドレン管の通水試験を行い、その後の受電によって空調機が運転できる状態になってから前記ドレンアップ機能の確認試験を行うというように、確認試験を２回の時期に分けて行うのが一般的であった。
【０００４】
ところで、前記ドレン管の通水試験において、例えば下記特許文献１では、ドレン管への注水時に水をこぼさないようにするため、空調機から突設された管状の排水接続口に開口を穿孔し、該開口を密閉する栓を該開口に着脱自在に設けるとともに、該栓を外した際前記開口に装着できるロート状の給水口を備えた空調機ドレン管試験装置が開示され、下記特許文献２では、ドレン管が接続されているドレンパンを備えた空調機に、そのドレンパンに臨む給水口を設け、この給水口に給水管の先端を接続するとともに、前記給水管の基端に給水源を接続した空調機のドレン排出機構の試験装置が開示されている。
【先行技術文献】
【特許文献】
【０００５】
【特許文献１】特開平５−７９６５２号公報
【特許文献２】実開平５−７９３１８号公報
【発明の概要】
【発明が解決しようとする課題】
【０００６】
しかしながら、上記特許文献１記載の空調機ドレン管試験装置では、ロート状の給水口が備えられるため、ドレン管への注水時に水をこぼすおそれが無くなるものの、脚立を使用しての高所作業が必要となるため危険を伴うとともに、ドレン管に漏水箇所や通水不良箇所があったとしても、目視で確認作業を行わなければならないため試験時間が長期化する問題があった。
【０００７】
一方、上記特許文献２記載のドレン排出機構の試験装置では、ドレンパンに揚水する揚水ポンプが備えられるため高所作業が低減できるが、ドレンアップ機能を備えた空調機の場合、受電後にドレンアップ機能の確認試験を再度行う必要があった。
【０００８】
受電後にドレンアップ機能の確認試験を行う場合、内装工事との関係で、内装工事が完了した後であることが多いため、内装仕上げ材を汚染したり、損傷したりする場合があるが、受電時期との関係からこの時期に行わざるを得なかった。
【０００９】
また、従来の確認試験では、空調機を１台ずつしか行うことができないため時間がかかり、複数台同時に行うには多くの人手が掛かるという問題があった。
【００１０】
そこで本発明の主たる課題は、ドレンアップ機能を備えた空調機を新規に据え付けるとき、内装及び空調機への給電工事前に、ドレン管の通水試験とドレンアップ機能の確認試験とを１回の試験で同時に行えるようにすることにより、試験時間の短縮を図るとともに、内装仕上げ材の汚染や損傷を防止した空調機のドレン機能試験方法及びこれに用いるドレン機能試験装置を提供することにある。
【課題を解決するための手段】
【００１１】
上記課題を解決するために請求項１に係る本発明として、車輪が設けられ移動可能とされる本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水を行うための給水ホースが接続される接続プラグを備えたドレン機能試験装置を使用して、内装及び空調機への給電工事前に、ドレンアップ機能を備えた空調機のドレン機能を確認する空調機のドレン機能試験方法であって、
前記空調機を設置し、ドレンパンに溜まった水を排水管に送るドレン管を配管した後、各接続プラグに給水ホースの一端を接続するとともに他端を空調機のドレンパンに仮設配管し、前記１次側の電源コンセントを仮設電源に接続するとともに前記２次側の電源コンセントを各空調機に接続して前記試験装置を設置した上で、前記空調機の運転及び前記ドレンパンへの給水を行い、ドレン機能を判定することを特徴とする空調機のドレン機能試験方法が提供される。
【００１２】
上記請求項１記載の発明は、車輪が設けられ移動可能とされる本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水する給水ホースが接続される接続プラグを備えたドレン機能の試験装置を用い、内装及び空調機への給電工事前に、ドレン機能の試験を行うことにより、次に列記するような効果を奏することができる。
(1)前記車輪が設けられることにより、試験装置が容易に移動でき、床面の損傷を防止することができる。
(2)仮設電源から供給される１次側電圧を２次側電圧に変換する変圧トランスが設けられることにより、１００Ｖの仮設電源を空調機の運転時に必要な２００Ｖの電圧に昇圧でき、受電前においても空調機を稼働させることができ、ドレン管の通水試験と同時にドレンアップポンプの稼働によるドレンアップ機能の確認試験を行うことができる。このように、天井などの内装工事完了前に前記２つの試験を同時に終わらせることができるため、ドレン機能の確認試験に伴う内装材の汚染や損傷を無くすことができる。
(3)前記給水ポンプの吐出側を複数に分岐した各分岐路の先端に、ドレンパンへ給水を行うための給水ホースが接続される接続プラグが設けられているため、ドレン機能の確認試験を複数台の空調機に対して同時に行うことができ、試験時間の短縮化を図ることができる。
【００１３】
以上のように、本発明に係る試験方法では、ドレンアップ機能を備えた空調機を新規に据え付けたとき、内装及び空調機への給電工事前に、ドレンの連続排水の確認が容易且つ迅速にできるため、空調機の漏水に対する品質向上が可能となる。
【００１４】
請求項２に係る本発明として、車輪が設けられ移動可能とされる本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水を行うための給水ホースが接続される接続プラグと、各分岐路の流量を計測する流量計とを備えたドレン機能試験装置と、前記ドレンパンの水をドレン管を通じて排水管にて回収する排水回収容器とを使用して、内装及び空調機への給電工事前に、ドレンアップ機能を備えた空調機のドレン機能を確認する空調機のドレン機能試験方法であって、
前記空調機を設置し、ドレンパンに溜まった水を排水管に送るドレン管を配管した後、各接続プラグに給水ホースの一端を接続するとともに他端を空調機のドレンパンに仮設配管し、前記１次側の電源コンセントを仮設電源に接続するとともに前記２次側の電源コンセントを各空調機に接続して前記試験装置を設置した上で、前記空調機の運転及び前記ドレンパンへの給水を行い、前記流量計による給水量と前記排水回収容器に回収された排水量との比較によりドレン機能を判定することを特徴とする空調機のドレン機能試験方法が提供される。
【００１５】
上記請求項２記載の発明では、上記試験装置に各分岐路の流量を計測する流量計を設けるとともに、前記ドレンパンの水をドレン管を通じて排水管にて回収する排水回収容器を設け、空調機の運転及びドレンパンへの給水を行い、前記流量計による給水量と前記排水回収容器に回収された排水量との比較によりドレン機能を判定するようにしているため、ドレン管の漏水の有無やドレンアップポンプの漏水の有無を容易に判定することができ、試験時間の短縮化を図ることができる。
【００１６】
請求項３に係る本発明として、前記分岐路は、３乃至８本に分岐して形成されている請求項１、２いずれかに記載の空調機のドレン機能試験方法が提供される。
【００１７】
上記請求項３記載の発明では、１台の試験装置に付き、同時に確認試験が可能な空調機の台数を規定するものであり、前記給水ポンプの吐出側を３乃至８本に分岐する分岐路を形成するようにしたものである。
【００１８】
請求項４に係る本発明として、請求項１〜３いずれかに記載の空調機のドレン機能試験方法に用いるドレン機能の試験装置であって、
車輪が設けられた本体フレーム内に、仮設電源から供給される１次側電圧を２次側電圧に変換する変圧トランスと、水を貯留する給水タンクと、前記給水タンク内の水を圧送する給水ポンプとを備えるとともに、前記給水ポンプの吐出側流路を複数に分岐した各分岐路の先端に設けられ、前記ドレンパンへ給水を行うための給水ホースが接続される接続プラグと、必要に応じて各分岐路の流量を計測する流量計とを備えたことを特徴とするドレン機能試験装置が提供される。
【発明の効果】
【００１９】
以上詳説のとおり本発明によれば、ドレンアップ機能を備えた空調機を新規に据え付けるとき、内装及び空調機への給電工事前に、ドレン管の通水試験とドレンアップ機能の確認試験とを１回の試験で同時に行えるため、試験時間の短縮を図るとともに、内装仕上げ材の汚染や損傷を防止した空調機のドレン機能試験方法及びこれに用いるドレン機能試験装置が提供できるようになる。
【図面の簡単な説明】
【００２０】
【図１】ドレン機能の確認試験のための試験装置の設置要領図である。
【図２】試験装置１を示す平面図である。
【図３】その正面図である。
【図４】図３の側面図である。
【図５】図３の背面図である。
【図６】試験装置１の配管系統図である。
【図７】他の形態例に係る試験装置１の配管系統図である。
【図８】ドレン機能の確認試験の流れ図である。
【図９】従来のドレン機能の確認試験の流れ図である。
【発明を実施するための形態】
【００２１】
以下、本発明の実施の形態について図面を参照しながら詳述する。
本発明に係るドレン機能の試験方法の対象となる空調機２は、図１に示されるように、天吊型などの高所設置型のパッケージ形空調機２（以下「空調機２」という。）であり、図示例ではこの空調機２が室内に複数台（２台）設置されている。また、前記空調機２は、冷却コイルに生じる結露水を一時貯留しておくドレンパン３と、このドレンパン３に溜まった水を排水管４に排水するため、排水管４に向けて下降勾配を設けたドレン管５と、前記ドレンパン３の水位より高い位置に設置された前記ドレン管５に揚水するドレンアップポンプ（図示せず）（所謂、ドレンアップ機能）とが備えられている。
【００２２】
〔試験装置１について〕
先ずはじめに、本発明に係るドレン機能の試験方法に用いられる試験装置１について、図２〜図７に基づいて詳述する。
【００２３】
本試験装置１は、図２〜図６に示されるように、４つの車輪１１、１１…と前後に手押し用把手１２、１２が設けられ、移動可能とされる本体フレーム１０内に、１次側電源コンセント１４によって仮設電源から供給される１次側電圧（１００Ｖ）を空調機２の稼働に必要な２次側電圧（単相２００Ｖ）に変換し２次側電源コネクタ１５、１５…に供給する変圧トランス１３と、水を貯留する給水タンク１６と、前記給水タンク１６内の水を空調機２のドレンパン３へ圧送する給水ポンプ１７とを備えるとともに、前記給水ポンプ１７の吐出側流路を複数に分岐した各分岐路の先端に設けられ、前記ドレンパン３へ給水を行う給水ホース３０が接続される接続プラグ１８、１８…と、各分岐路の流量を計測する流量計１９、１９…とを備えている。前記本体フレーム１０は、略直方体に組んだ骨組の外側に外板を取り付けたものであり、試験装置１の軽量化を考慮してアルミニウム製とすることが好ましい。
【００２４】
以下、更に具体的に詳述する。
前記変圧トランス１３は、工事用の仮設電源から供給された１００Ｖの１次側電源を、空調機２（ドレンアップポンプ）の稼働に必要な２００Ｖの２次側電源に昇圧するためのものである。前記１次側電源の供給は、試験装置１の背面から外部に延出するアース付の１００Ｖ用の電源コンセント１４によって行われ、前記２次側電源の供給は、前記変圧トランス１３の２次側に並列的に複数本（図示例では３本）接続するケーブルの先端に、前記本体フレーム１０内に収容されている雌型の２次側電源コネクタ１５によって行われる。ここで、前記２次側電源コネクタ１５に空調機２に接続する電源コンセント３１を接続するときは、開閉扉１０ａを開いて接続するようにする。なお、その背面側にもメンテナンス用の開閉扉１０ｂが備えられている。
【００２５】
前記給水タンク１６は、ポリプロピレンやポリエチレンなどからなるポリ容器であり、その側部には目視にて水量が確認できるように前記給水タンク１６内と連通し、垂直管部に水面位置に対して内容量が表示される目盛りを備えた水位計１６ａが配設されている。また、下部側面には前記給水ポンプ１７へ給水する給水路が接続されるとともに、上面には前記給水ポンプ１７の吐出水を一部戻すバイパス路が接続されている。また、上面には給水タンク１６内への給水時に蓋１６ｃを取り外して給水する開口１６ｂが設けられている。他方、タンク内の水量を正確に計測するため、上面開口部からタンク内に電極棒１６ｄが挿入され、デジタル信号として出力可能とされている。この電極棒１６ｄは、タンク内が所定水量以下になった時点でタンク内への給水を促す通報装置と電送可能に接続されるとともに、給水ポンプ１７の空転防止を図るため所定水量以下の場合に給水ポンプ１７の運転を停止するように給水ポンプ１７の制御装置と電送可能に接続されている。
【００２６】
前記給水タンク１６は、複数台の空調機について同時に確認試験が行えるように、２リットル〜２００リットル、好ましくは２０リットル〜１００リットルの容量のものが好適に使用できる。
【００２７】
前記給水ポンプ１７は、マグネットポンプ、渦巻きポンプ、軸流ポンプなど公知の各種ポンプを使用できるが、液漏れが生じにくいマグネットポンプを使用することが好ましい。
【００２８】
前記給水ポンプ１７の吐出側流路は、複数の分岐路に分岐され、各先端部にはドレンパン３まで延びる給水ホース３０が接続される接続プラグ１８が備えられている。この接続プラグ１８は、雄雌関係にある前記給水ホース３０の一端に設けられた接続プラグとワンタッチで着脱自在とされるいわゆるクイックジョイントであり、給水ホース３０の装着時にのみ通水可能とされ、脱着時には通水されないようになっている。
【００２９】
前記流量計１９は、面積式、差圧式、スクリュー式など公知の流量計を用いることができる。
【００３０】
前記試験装置１の外面には、操作盤２０が設けられ、試験装置１の主電源、各２次側電源コネクタ１５、１５…への電源供給のＯＮ／ＯＦＦが制御可能なスイッチが備えられている。
【００３１】
上記試験装置１の配管系統は、図６に示されるように、給水タンク１６から給水ポンプ１７の給水側に導入される給水路１７ａが設けられ、給水ポンプ１７の吐出側に吐出路１７ｂが設けられる。この吐出路１７ｂはその後、図示例では３本の分岐路１７ｃ、１７ｄ、１７ｅに分岐され、各分岐路１７ｃ、１７ｄ、１７ｅにそれぞれ流量計１９及び接続プラグ１８が設けられている。また、前記吐出路１７ｂには、この吐出路１７ｂを流通する水の一部を前記給水タンク１６に返送するためのバイパス路１７ｆ及びその流路途中のバイパス弁１７ｇが設けられている。
【００３２】
図６に示される例では、吐出路１７ｂが３本の分岐路に分岐して形成されるようにしていたが、図７に示されるように、６本の分岐路に分岐して形成されるようにしてもよい。この分岐路は、３乃至８本に分岐して形成されるようにすることが好ましい。なお、前記分岐路を分岐する本数を変更する場合、前記２次側電源コネクタ１５も同じ個数設けるようにする。
【００３３】
〔空調機２のドレン機能の試験方法〕
次に、上記試験装置１を用いた空調機２のドレン機能の試験方法について説明する。その手順は、図８に示されるように、空調機２を設置し、ドレンパン３に溜まった水を排水管４に送るドレン管５を配管した後であって、天井などの内装工事及び空調機への給電工事前に、上記試験装置１と、前記ドレンパン３の水をドレン管５を通じて排水管にて回収する排水回収容器６とを使用して行う。
【００３４】
具体的には、図１に示されるように、給水タンク１６内に十分に給水した試験装置１を所定の位置まで移動し、各接続プラグ１８に空調機２のドレンパン３に給水するための給水ホース３０、３０を仮設配管する。また、１次側電源コンセント１４を仮設電源に接続して１００Ｖ電源の供給を受けるとともに、２次側電源コネクタ１５、１５に空調機２の電源に接続する電源コンセント３１、３１を接続して試験装置１の設置を完了する。さらに、排水管４には、排水を回収する排水回収容器６を設けておく。
【００３５】
その後、試験装置１を稼働し、空調機２、２の運転及びドレンパン３、３への給水を所定時間連続的に行う。なお、前記空調機２の運転においては、少なくともドレンアップポンプを稼働するようにする。この間の流量計１９、１９による各ドレンパン３への積算給水量と、前記排水回収容器６に回収された排水量とを比較して、給水量と排水量とがほぼ同量ならばドレン管の通水状態及びドレンアップ状態が良好に作用していると判断され、給水量より排水量の方が少ない場合、ドレン管５の漏水、排水管４までの通水不良、ドレンアップポンプの漏れ、ドレンアップポンプの不良など機器の改修が必要と判断される。そして、所定の機器の改修後、同様に上記試験を行い再度ドレン機能を判断する。
【００３６】
このように、本発明に係る試験方法では、天井などの内装工事や空調機への給電工事（受電）前に、ドレン管５の通水試験及びドレンアップポンプによるドレンアップ機能の確認試験が同時に行えるため、試験時間の短縮化を図ることができるとともに、内装仕上げ材の汚染や損傷が防止できるようになる。
【符号の説明】
【００３７】
１…試験装置、２…空調機、３…ドレンパン、４…排水管、５…ドレン管、１０…本体フレーム、１３…変圧トランス、１６…給水タンク、１７…給水ポンプ、１８…接続プラグ、１９…流量計、３０…給水ホース
【図１】
2011021777.tif 000003
【図２】
2011021777.tif 000004
【図３】
2011021777.tif 000005
【図４】
2011021777.tif 000006
【図５】
2011021777.tif 000007
【図６】
2011021777.tif 000008
【図７】
2011021777.tif 000009
【図８】
2011021777.tif 000010
【図９】
2011021777.tif 000011